(57)【要約】  人の対象コミュニティに対するオンライン通信プラットフォームを提供するための方法であって、ａ．）人のコミュニティを選ぶことと、ｂ．）人のコミュニティによってアクセスされた製品を識別することと、製品は１つ以上の製品ユニットを備え、ｃ．）製品ユニット上の製品識別子を提供することと、ｄ．）オンライン通信プラットフォームを提供すること、とのステップを備え、オンライン通信プラットフォームは、適切なデバイスを使用して製品識別子を読み取ることにより、または、製品識別子を１つの適切なソフトウェアに手動で入力することによりアクセスされ、製品識別子は、ユーザがオンライン通信プラットフォームにアクセスするための唯一の手段である。【特許請求の範囲】
【請求項１】
人の対象コミュニティに対するオンライン通信プラットフォームを提供するための方法であって、
ａ．）人のコミュニティを選ぶことと、
ｂ．）前記人のコミュニティによってアクセスされた製品を識別することと、前記製品は１つ以上の製品ユニットを備え、
ｃ．）前記製品ユニット上の製品識別子を提供することと、
ｄ．）オンライン通信プラットフォームを提供すること、
とのステップを備え、
前記オンライン通信プラットフォームは、適切なデバイスを使用して前記製品識別子を読み取ることにより、または、前記製品識別子を１つの適切なソフトウェアに手動で入力することによりアクセスされ、
前記製品識別子は、ユーザが前記オンライン通信プラットフォームにアクセスするための唯一の手段である、方法。
【請求項２】
前記オンライン通信プラットフォームは、メッセージボード、チャットルームおよびライフオンラインオーディオ、または、ビデオ通信からなるグループから選択される、請求項１に記載の方法。
【請求項３】
前記製品識別子は、バーコード、ＱＲコード、データマトリックスコード、ザップコード、ＲＦＩＤタグ、および、ＮＦＣタグからなるグループから選択される少なくとも１つのタグの形態で提供される、請求項１に記載の方法。
【請求項４】
前記製品識別子は、パッケージングまたは製品に組み込まれる、あるいは、前記パッケージングまたは製品の少なくとも一部分によって形成される、請求項１に記載の方法。
【請求項５】
前記適切なデバイスは、カメラを装備したコンピュータ、スキャナを装備したコンピュータ、カメラを装備したＰＤＡ、スキャナを装備したＰＤＡ、カメラを装備した移動体電話機、および、スキャナを装備した移動体電話機からなるグループから選択される、請求項１に記載の方法。
【請求項６】
前記移動体電話機はスマートフォンである、請求項５に記載の方法。
【請求項７】
前記要求に適切なソフトウェアは、前記スマートフォン上の、アプリケーションまたは一組のアプリケーションである、請求項６に記載のシステム。
【請求項８】
前記製品は、医療デバイス、薬物製品、パーソナルケア製品、栄養剤、栄養補助食品、機能性食品、および、食材からなるグループから選択され、好ましくは薬物製品、特に処方薬物製品である、請求項１に記載の方法。
【請求項９】
前記対象コミュニティは、病気または障害、特に慢性のまたは長期間の病気または障害に苦しむ人からなる、請求項１に記載の方法。
【請求項１０】
前記製品識別子は、一意的なユニット識別子を備える、請求項１に記載の方法。
【請求項１１】
前記一意的なユニット識別子は、前記オンライン通信プラットフォームへの単一のアクセスのみを許可をする請求項１０に記載の方法。
【請求項１２】
前記一意的なユニット識別子は、特定の時間ウィンドウにおける前記オンライン通信プラットフォームへのアクセスのみを許可する請求項１０に記載の方法。
【請求項１３】
人の対象コミュニティに選択的に情報を提供するためのシステムであって、
−少なくとも１つの製品識別子が提供される、少なくとも１つの製品と、
−オンライン通信プラットフォームとを備え、
前記製品識別子は、ユーザが前記オンライン通信プラットフォームにアクセスするための唯一の手段である、システム。
【請求項１４】
前記オンライン通信プラットフォームは、メッセージボード、チャットルームおよびライフオンラインオーディオ、または、ビデオ通信からなるグループから選択される、請求項１３に記載のシステム。
【請求項１５】
一意的な識別子は、バーコード、ＱＲコード、データマトリックスコード、ザップコード、ＲＦＩＤタグ、および、ＮＦＣタグからなるグループから選択される少なくとも１つのタグの形態で提供される、請求項１３に記載のシステム。
【請求項１６】
前記製品識別子は、パッケージングまたは製品に組み込まれる、あるいは、前記パッケージングまたは製品の少なくとも一部分によって形成される、請求項１３に記載のシステム。
【発明の詳細な説明】
【技術分野】
【０００１】
本発明は、人の対象コミュニティに対してオンライン通信プラットフォームを提供するための方法およびシステムに関する。
【０００２】
特に、本発明は、特定の製品との接触を通してリンクされた人のコミュニティに対して、安全なオンライン通信プラットフォームを選択的に提供するための方法およびシステムに関する。これによって、本発明の方法およびシステムは、個々のユーザを明確に識別する必要なく安全な環境において対話するため、所定の製品のユーザに対するオンラインプラットフォームを提供する。
【技術的背景】
【０００３】
今日のソーシャルメディアは、我々のコミュニケーションの基本構造の一部になっており、ある程度、社会の基本構造の一部にもなっている。フェイスブック（登録商標）またはセカンドライフあるいは多数のオンラインフォーラムおよびメッセージボードのようなオンラインプラットフォームは、さまざまな主題についての情報を交換する機会を人に与える。
【０００４】
特に、医療状態にリンクされた自助グループおよびオンラインコミュニティに関して、実際に、このようなフォーラムのメンバーが、フォーラムの主題である状態に苦しんでいる、または、苦しんでいる人をケアしているか否かを確認することが可能でないことが多いという問題がある。したがって、何人かの人は、より広い世界に彼らの状態を「公にする」恐怖なく彼らの問題を率直に議論することに、依然として抑制を感じているかもしれない。さらに、欠乏またはスクリーニングはまた、トローリングの問題につながることがあり、これは、フォーラムが、糖尿病または肥満のようなライフスタイルに関連するものとして認められるメンタルヘルス問題または状態の議論に専念している場合に、特に問題になることがある。最終的に、オンラインコミュニティのメンバーの任意のスクリーニングがないと、説明された任意の体験および与えられたヒントが本当に患者または介護者からのものなのか、あるいは、ただ作り上げられたものなのかを確認することは非常に難しい。したがって、このような情報は、常に、かなりの程度の疑惑を伴うだろう。
【０００５】
これとは対照的に、現実世界の自助グループにおけるメンバーのスクリーニングは、生来、対面の接触を中心に構築されたものであることから、はるかに容易である。
【０００６】
実際に、フォーラムの主題である状態に人が苦しんでいる、または、フォーラムの主題である状態に苦しんでいる人を介護しているか否かを確認することは可能かもしれないが、これらの方法は、たいがい医師証明書のような証明の提供を伴うかもしれず、個人の識別につながるだろう。少なくともフォーラムの管理者に彼らの状態を明らかにするように強いられるので、この場合も先と同様に、人を追い払うかもしれない。さらに、このような識別プロセスは、さまざまなデータ保護法および規制の観点から、いくつかの国では問題となるかもしれない。
【０００７】
さらに、特に、通常の薬剤が必要とされる慢性または長期の疾病に関して、他の患者からのサポート、および、医療専門家よりもむしろ仲間として認識されそうな他の患者との特定の問題を議論する可能性は、患者のコンプライアンスを著しく増大させると示している。これは、特に、例えば、インスリンの注射に対するケースのように、薬剤が不快である、または、管理するのが難しいとと知覚される、あるいは、例えば、ＨＩＶ／ＡＩＤＳ患者に対する抗レトロウイルス治療体制に対するケースのように、重大な副作用につながる場合である。
【０００８】
さらに、慢性および長期の疾患は、より広い患者のコミュニティから助けやサポートの利益を得るであろう、うつのような、メンタルヘルス問題と同様、併存疾患に関係付けられていることが多い。
【０００９】
したがって、ユーザを個別に識別することなく、規定されたコミュニティへの特定の安全なアクセスを提供するオンライン通信プラットフォームを提供できることが有用であろう。
【００１０】
乾燥肌の人のための保湿クリーム、乳児の親のための乳児用調整粉乳、あるいは、糖尿病患者またはその介護者のためのインスリンカートリッジのようにさまざまなコミュニティが特定の製品によってリンクされることが多いことを、本発明者は観察してきた。したがって、これらの製品は、あるグループに属する人を識別する手段を形成する。この識別は、リンクする製品が処方薬である場合、特に有力で信頼できる。これにより、１つのリンクする要因は、コミュニティのメンバーが、彼らが使用し、消費し、そうでなければ、接触する製品のパッケージングに触れる（exposed）ことである。
【００１１】
このような識別は、その後、確実に、この特定の製品と接触した人のみが所定のオンラインコミュニティへのアクセスを有する、オンラインコミュニティへの入場券として使用されることができる。
【００１２】
本発明の文脈では、「製品」への参照がなされる。この用語は、例えば、以下に関連して、選択された人のコミュニティによって一般的に使用またはアクセスされる、アイテムまたはいくつかのアイテムの組合せを参照するために使用される。  
−彼らの健康状態（例えば、糖尿病を有し、インスリンを服用する患者のためのインスリンカートリッジあるいはインスリンバイアルまたはペン、多発性硬化症またはリウマチ性関節炎を有する患者のためのプレフィルドシリンジまたはオードインジェクタ、重症のアレルギー反応に苦しむ人のためのエピネフリンオートインジェクタ（ＥｐｉＰｅｎ，ＡｕｖｉＯ）、あるいは、ＨＩＶ／ＡＩＤＳ患者のための抗レトロウイルス薬）  
−彼らの習慣またはライフスタイル（例えば、フィットネスをする人のための運動靴または栄養剤、あるいは、乳児または小さなこどもを有する親のための乳児用調整粉乳）
−彼らの専門職業（例えば、心臓病専門医を支援する看護師および心臓病専門医自身のためのステントボックス、糖尿病患者を支援する看護師のためのペンまたはインスリンカートリッジ、予防接種を行う看護師または医師のためのプレフィルドシリンジ）
【００１３】
このリストは、単に例を意味しており、決して限定的ではないが、そのコミュニティ中の人の他の特性（例えば、ロケーション、人口統計、専門的なポジション）にかかわらず、所定の製品は、前記製品と接触する人のコミュニティのメンバーを識別するために使用されることができると説明する。
【００１４】
それにより、用語、製品は、例えば、特定の製造者によって作られる製品、あるいは、特定のブランドまたは特定の名前の下で売られる製品のような、一般的なアイテムまたは特定のアイテムを指してもよい。
【００１５】
本発明の文脈では、特定の参照が医療用品にされるかもしれないが、本発明の方法およびシステムは、医療用品に制限されず、所定のコミュニティへのリンクを提供する任意の製品に関連して使用されてもよいことは明らかである。
【００１６】
特に、広告、顧客ロイヤリティスキーム、および、競合に関して、対象となる消費者と話し合うためのパッケージングを使用する試行がされているが、今までのところ、使用は、ユーザが特定のウェブサイトまたはウェブサービスにログオンし、彼自身のための特定のプロフィールを生成することを必要とする。
【００１７】
１つのこのようなシステムは、例えば、ＵＳ２０１４／００１９６０６中に説明されている。
【００１８】
しかしながら、これらのシステムは、いくつかの欠点を有している。
【００１９】
まず初めに、これらは、個人データの保護についての懸念が高まっている時代においてますます困難になっているものである、各自のウェブサイトまたはウェブサービスでプロフィールを生成することをユーザに依拠している。過失がないように、あるいは、ユーザが親展および機密であると考慮するデータを漏らさないようにするために、ユーザが過失なく不正確なデータを入力することがよくあることから、特に、システムが、データの正確なセットのエントリにさらに依拠する場合に特にそうである。
【００２０】
このような人は一般的にこのような情報をオンラインで漏らす可能性が低いので、対象グループが何らかの手段で、共通の医療問題によってリンクされる場合、この問題は悪化する。さらに、証明を彼らが提供できない限り、所定のユーザが実際に所定の状態に苦しんでいるか否かを確認することは容易ではなく、何人かの人はそうすることに気がすすまなかったり、あるいは、データ保護を考慮すると問題となる。実際に、いくつかの国では、健康管理問題に関連するとき、このような実施は禁止される。さらに、特定の患者の状態と任意のタイプの医療アドバイスとの間のリンクが、多くの国では、医療用診断ツールとみなされ、パッケージングおよびその仮想コンテンツに対する規制承認を必要とする可能性がある。
【発明の概要】
【００２１】
本発明者は、人がある製品にアクセスするという単純な知識が、この製品にリンクされている医療状態に苦しむ人のような、人の所定のコミュニティに彼が属するということ示すということを発見した。したがって、この製品は、例えば、慢性または長期の疾患のような医療状態に苦しむ人に対する識別子として使用されることができ、他の何らか手段で、ユーザによってアクセスされることができない特定のオンラインコミュニティへのエントリのためのコードまたはチケットとして機能することができる。製品が、所定の病気または障害に関連する医療用品のような、いくつかの形態の認証または処方を介してのみ取得できるときに、これは特に当てはまる。
【００２２】
これは、慢性または長期の疾患および他の医療状態に苦しむ人のための自助フォーラムのような特定の対象コミュニティについてのフォーラムのみに参加したい人にアクセス制御およびプライバシーを提供する利点を有している。さらに、ユーザが希望し、それに明確に同意しない限り、特定のユーザの識別なはく、したがって、親展のおよび機密データの漏洩、または、診断としてのパッケージングおよび仮想コンテンツの分類に関する問題はない。
【００２３】
本発明の一態様にしたがうと、人の対象コミュニティに対してオンライン通信プラットフォームを提供するために設けられた方法があり、
ａ．）人のコミュニティを選ぶことと、  
ｂ．）人のコミュニティによってアクセスされた製品を識別することと、製品は１つ以上の製品ユニットを備え、  
ｃ．）製品ユニット上の製品識別子を提供することと、  
ｄ．）オンライン通信プラットフォームを提供すること、  
とのステップを備え、  
通信プラットフォームは、適切なデバイスを使用して識別子を読み取ることにより、または、製品識別子を１つの適切なソフトウェアに手動で入力することによりアクセスされ、  
製品識別子は、ユーザがオンライン通信プラットフォームにアクセスするための唯一の手段である。
【００２４】
本発明の方法における個々のステップは、ある順序で表示されており、ａ．）からｄ．）でラベル付けされているが、これは、単に個々のステップを識別することを意味しており、所定の順序でステップを実行する必要はない。本発明の方法では、本発明の精神から逸脱することなく、さまざまなステップを異なる順序で実行することができる。
【００２５】
本発明の別の態様では、人の対象コミュニティに選択的に情報を提供するために設けられたシステムがあり、システムは、  
−少なくとも１つの製品識別子が提供される、少なくとも１つの製品と、  
−オンライン通信プラットフォームとを備え、  
製品識別子は、ユーザがオンライン通信プラットフォームにアクセスするための唯一の手段である。
【００２６】
本発明の目的のために、表現「ユーザがオンライン通信プラットフォームにアクセスする唯一の手段」は、ユーザが通信プラットフォームへの初期アクセスを得るために、製品識別子を少なくとも１回使用しなければならないことを意味している。初期アクセスの後、さらなるアクセスのために、ユーザ名およびパスワードを生成するオプションのようなアクセスの他の手段をユーザに与え、あるいは、オンラインアプリケーションプラットフォームにアクセスするために使用されることができる、ユーザによって使用されるデバイス上の１つ以上のアプリケーションのような、特定のソフトウェアをインストールまたはアクティブ化することが可能である。いくつかのケースでは、いったん彼が最初に製品をスキャンし、アクセスの他の手段をユーザが生成する場合に、好ましいかもしれない。他のケースでは、ユーザが通信プラットフォームにアクセスすることを希望するたびに、彼が製品をスキャンしなければならない場合に、好ましいかもしれない。
【００２７】
本発明のいくつかの態様では、オンライン通信プラットフォームは、メッセージボード、チャットルームおよびライフオンラインオーディオ（life online audio）、または、ビデオ通信からなるグループから選択される。
【００２８】
通信プラットフォームに加えて、ユーザの特定の状況、特に、医療状態に合わせた更なるサービスを彼に提供することが可能である。例えば、ロケーションサービスを使用して彼のポジションを識別し、近くのコミュニティの他のメンバーを識別し、所望する場合、対面のミーティングにのために彼らの接触を可能にする機会をユーザに与えることが可能である。また、例えば、糖尿病に優しいレストラン（diabetic friendly restaurants）、薬局、医者またはフィットネス施設のような、特定のコミュニティのニーズに応じる近くの機関や企業の表示を提供するためにロケーション情報を使用することも可能である。
【００２９】
別の潜在的に関心のあるサービスは、コミュニティメンバーが彼の状態に取り組むことを手助けするための、あるいは、例えば、食習慣または運動のようなより良いコンプライアンスまたはライフスタイルの変化を通して、状態を改善するまたは向上させることを手助けするための、コーチングツールの提供だろう。
【００３０】
コードを使用して、例えば、製品の有効期限、製品が本物であって、偽造でないと保証するセキュリティ情報、製品の適切な使用に関する情報、または、製品リコールの場合の警告のような追加の情報をユーザに提供することも可能である。
【００３１】
他のサービスは、例えば、糖尿病患者のための食品またはレストランガイドのような、そのようなコミュニティのメンバーに合う特別なサービスの提供を中心に展開してもよい。このようなサービスは、コミュニティの他のメンバーによる推奨またはレビューをこれらは含むことができることから、あるいは、このような排他的な相互評価からなることから、特に関心があるかもしれない。
【００３２】
その最も単純な形態では、製品識別子は、ウェブアドレスおよび／またはアクセスコードを製品に印刷することによってアタッチされることができる。いくつかの態様では、通信プラットフォームへのログオンプロセスが自動化される場合に有利であるかもしれない。後者は、機械読み取り可能識別子またはコーディングタグを製品に提供することによって達成することができる。これらの識別子またはタグは、適切なデバイスを使用してユーザによって読み取られることができ、これにより、デバイスは、自動的に、または、ユーザによって促されたときに、オンライン通信プラットフォームに接続するための正しいソフトウェアを起動できる。
【００３３】
製品識別子を製品にアタッチするために、いくつかのタイプのデータ通信テクノロジーを使用することができる。このようなテクノロジーの例は、例えば、バーコード、ＱＲコード（登録商標）、ザップコード、データマトリックスコードおよびＮＦＣ、または、ＲＦＩＤタグのような、コーディングタグを含む。このようなタグは、これらのコンテンツが読み取られ、解釈されることができるように、−光学または無線いずれかの−デジタルリーダを必要とする。いくつかの実施形態では、タグは、製品またはパッケージングに組み込まれてもよく、あるいは、製品またはパッケージングであってもよく、あるいは、製品またはパッケージング自体の少なくとも一部であってもよい。このケースでは、画像認識ソフトウェアを使用して、タグを読み取ることができる。これらのタグは、いくつかの特定のリーダを介して、タグ中に含まれる情報にアクセスしようとする人による、能動的な介入を必要とする。製品（またはそのパッケージング）中へのこれらの包含は、任意の余分なエネルギー源を必要とせず、これは、これらを高度に小型化し、通常低コストにする。
【００３４】
有用なタグの他の例は、任意の既存のワイヤレスネットワークとの自律的な通信を確保することができる小型化されたアクティブなワイヤレスデバイスを含む。これらのテクノロジーは、製品（またはそのパッケージング）を保持する人からの介入をほとんど必要としないが、あまり小型化可能でなく、エネルギー源（例えば、バッテリー）を必要とし、「受動」テクノロジーよりも通常はかなり高価である。このようなアクティブタグの例は、ＳＩＭカード、ブルートゥース（登録商標）、ジグビー、または、ＷｉＦｉ接続を利用するデバイスを含む。
【００３５】
ＳＩＭカードを使用するデバイスは、移動体電話機ネットワークが利用可能であるとすぐに、完全に自律的に通信する利点を有している。これは、機械同士（Ｍ２Ｍ）のプロトコルを介して、これらの間で物体が通信できるモノのインターネット（ＩｏＴ）に対する基礎である。
【００３６】
ブルートゥース、ジグビー、または、ＷｉＦｉベースのデバイスは、短距離通信能力を有し、インターネット上に情報を中継するためのハブにアクセスしなければならない。ハブは、同様に、移動体電話機であることがある。
【００３７】
これらのサイズ、コスト、および、簡略化のために、いくつかのケースでは、コーディングタグが好ましい。
【００３８】
本発明のいくつかの態様では、製品識別子は、バーコード、ＱＲコード、データマトリックスコード、ザップコード、ＲＦＩＤタグ、および、ＮＦＣタグからなるグループから選択される少なくとも１つのタグの形態で提供される。
【００３９】
本発明のいくつかの態様では、製品識別子は、パッケージングまたは製品に組み込まれる、あるいは、パッケージングまたは製品の少なくとも一部分によって形成される。
【００４０】
製品識別子は、一次パッケージング（例えば、液体製品または紛体形状の製品のためのコンテナ）、二次パッケージング（例えば、一次パッケージングのための箱）、または、三次またはより高い次数のパッケージング（例えば、分配のために、製品のいくつかのユニットが組み合わされた箱）のような、製品自体の部分またはそのパッケージングの少なくとも一部分にアタッチされるだろう。一般的に、製品識別子は、一次パッケージングおよび二次パッケージングのうちの少なくとも１つにアタッチされるだろう。
【００４１】
適切なデバイス、との表現は、製品識別子を読み取ることができ、製品識別子を適切なソフトウェアに通信でき、適切なソフトウェアを使用して、オンライン通信プラットフォームに接続できる任意のデバイスに関連する。トラッカーとして機能することができる、バーコード、ＱＲコード、データマトリックスコード、あるいは、他の何らかのタイプのタグまたは画像のような、すなわち、デジタル情報として解釈されることができる、タグを読み取ることができる電子デバイスの例は、一般的に既知である。好ましくは、これらのデバイスは、エンドユーザにおいて既に利用可能であるテクノロジーにおおよそ基づいている。使用されることができるデバイスの例は、スキャナまたはカメラまたは移動体電話機またはタブレットのような適切なリーダを有し、さらに、カメラまたはスキャナのような適切なリーダを有する静的および移動体コンピュータの両方を含む。
【００４２】
適切なデバイスはさらに、製品識別子を適切なソフトウェアにさらに通信し、適切なソフトウェアを使用して、オンライン通信プラットフォームに接続する。オンライン通信プラットフォームへのアクセスは、当業者に既知である任意の手段によって行うことができ、通常は、ワイヤードＷＡＮまたはＬＡＮ接続、ＷｉＦｉ接続または移動電話またはデータ接続のようなデータ接続を使用して行われるであろう。それにもかかわらず、陸線電話接続（landline telephone connections）のような他のアクセス手段、ブルートゥースのような他の無線接続を使用することが可能である。
【００４３】
本発明のいくつかの態様では、適切なデバイスは、カメラを装備したコンピュータ、スキャナを装備したコンピュータ、カメラを装備したＰＤＡ、スキャナを装備したＰＤＡ、カメラを装備した移動体電話機、および、スキャナを装備した移動体電話機からなるグループから選択される。
【００４４】
本発明のいくつかの態様では、適切なデバイスは、移動体電話機はスマートフォンであり、特にカメラを有するスマートフォンである。このようなスマートフォンは、インターネットに接続する能力を有しているだろう。
【００４５】
本発明のいくつかの態様では、適切なソフトウェアは、スマートフォン上で動作するアプリケーションまたは一組のアプリケーションである。
【００４６】
本発明のいくつかの態様では、適切なデバイスはコンピュータに接続されたカメラである。
【００４７】
適切なソフトウェア、との表現は、オンライン通信プラットフォームに接続することができる任意のソフトウェアを指す。その最も簡略化された形態において、適切なソフトウェアは、ウェブブラウザであることがあり、これにより、製品識別子は、ウェブブラウザを介してアクセスされることができるウェブアドレスへのリンクを含むか、そのウェブアドレスにリンクするか、あるいは、そのウェブアドレスへのリンクを参照する。
【００４８】
このケースでは、例えば、第三者によって取得されたウェブアドレスを単に入力することにより、ウェブサイトにアクセスする可能性を回避するために、製品識別子がさらなる識別子をさらに備えることが、有用かもしれない。適切なソフトウェアは、本発明の方法およびシステムで使用するために特別に修正されたような、プロプライエタリソフトウェアまたは第三者ソフトウェアであることも可能である。
【００４９】
本発明のいくつかの態様では、製品識別子は、ユーザが使用する特定の製品ユニットに関係する一意的なユニット識別子を備えている。本発明の他の態様では、一意的なユニット識別子は、オンライン通信プラットフォームへの単一のアクセスのみを許可するだろう。本発明のいくつかの態様では、製品識別子または一意的なユニット識別子は、特定の時間ウィンドウにおけるオンライン通信プラットフォームへのアクセスのみを許可するだろう。
【００５０】
これらの手段は、許可されていないユーザによる通信プラットフォームへの侵入に対するセキュリティを増加させることができる。
【００５１】
本発明の方法／システムに対する重要な点のうちの１つは、製品識別子が、個々のユーザを識別するのではなく、単に、特定の人のグループにユーザが属することを識別するということである。例えば、ロイヤリティスキームに参加すること、または、より個人化されたサービスを取得することのような、より具体的な詳細を登録するオプションをユーザにさらに与えることが可能であるが、これは、単なるオプションであり、本発明に対して必須ではない。システム内に個別のリーダ（readers）を登録する必要がないことから、ユーザが能動的にそうしない限り、ユーザもユーザの数もシステム中に登録されないようにユーザが望む場合には、個々のユーザのプライバシーが保護されたままである。多くのケースでは、各グループは、少なくとも２人の人を含むが、グループが１人のメンバーのみを含む場合でさえ、ユーザ識別が送信される必要はなく、グループ毎のユーザの数は登録されないので、ユーザのアイデンティティは保護される。システムが一意的なユニット識別子を使用するケースでさえ、ユーザが明確にこの情報を共有することに同意しない限り、同じユーザまたは２人の異なるユーザによって２つの製品ユニットがアクセスされているか否かを、システムは見分けることができないだろう。
【００５２】
本発明のいくつかの態様では、製品は、医療デバイス、薬物製品、パーソナルケア製品、栄養剤、栄養補助食品、機能性食品、および、食材からなるグループから選択され、好ましくは薬物製品、特に処方薬物製品である。
【００５３】
本発明のいくつかの態様では、対象コミュニティは、病気または障害に苦しむ人からなる。このような病気または障害は、例えば、慢性的または長期の病気または障害、あるいは、非慢性的病気または障害であることがある。本発明の方法／システムにより、選択された対象コミュニティのみにオンライン通信プラットフォームが利用可能であることが保証されるので、自分がこのコミュニティのメンバーであることを個人が明らかにする必要なく、共通の問題について話し合う機会を人に与える。
【好ましい実施形態の詳細な説明】
【００５４】
本発明の一実施形態では、製品は、インスリンペン（insulin pen）のためのインスリンカートリッジである。これに関して、インスリンカートリッジには、一例としてＱＲコードの形態の一意的な製品識別子が提供されている。代替的に、または、追加的に、一意的な製品識別子は、データマトリックスコードの形態で提供されることができる。ユーザすなわち糖尿病患者がカートリッジを使用しようとするとき、彼のスマートフォンを使用して、ＱＲコードをスキャンすることができる。いったんＱＲコードがスキャンされると、スマートフォン上にインストールされたアプリケーションが起動する。このアプリケーションは、オンラインチャットルームに接続することが可能なダッシュボードの形態をとる。これにより、このオンラインチャットルームは、カートリッジ上のＱＲコードを介してのみアクセス可能である。
【００５５】
オンラインチャットルームでは、ユーザは、他の糖尿病患者と直接話し合うことができるが、これは、通常、インスリンを用いて彼ら自身に注射するプロセスのときであろう。例えば、彼は、この接続を使用して、経験を交換し、サポートを得るかまたは与え、あるいは、例えば、痛みや不快感を最小にするために、どのように自身に最良に注射するかについての助言を交換することができる。
【００５６】
この特定のチャットルームにおいて、例えば、インスリンペンの最良な使用を説明するために、ライフオーディオまたはビデオストリーミングのオプションがさらにある。
【００５７】
他の患者との接触に加えて、ユーザは、彼のインスリンペンの最良の使用または彼の状態を改善するのを助けるかもしれないライフスタイルの変化に関して、医療専門家からさらなる情報を受け取ることを選ぶことができる。
【００５８】
ダッシュボードは、さらなる機能にアクセスするために、または、患者の状態に、このケースでは糖尿病にリンクされているスマートフォン上の他のアプリケーションを起動するために、さらに使用されることができる。
【００５９】
新たに診断された患者によって経験されるストレスを軽減するために、１つのこのような機能またはアプリケーションは、新たに診断された糖尿病患者に、患者の新たな状態を受け入れて生活に慣れる際の追加のサポートを提供するために、使用されることができる。
【００６０】
別の機能またはアプリケーションは、インスリンが本物であって、偽造ではないと保証し、それが正しいタイプであるか否かをチェックするために、または、特定の製品ユニットがリコールされている場合に警告を受け取るために、使用されることができる。
【００６１】
別の機能またはアプリケーションは、予め準備された食事、または、店で入手可能な材料、または、レストランにおける食事のような、食品に関する情報を提供するために使用されることができる。
【００６２】
この情報は、情報の信頼性を保証するために、好ましくは、コミュニティの他の識別されたメンバーからクラウドソースされる（crowd-sourced）。
【００６３】
アプリケーションの別の機能は、患者の一般的な健康を改善するために、ライフスタイルの変化をアドバイスすることができるコーチングツールの形態をとることができる。さらに、与えられるアドバイスをさらに個別化するように、ユーザは、彼の食物の消費、インスリンの使用、血統、および／または、運動管理についてのデータを、アプリケーションに入力することができる。これに関して、データの入力は、手動により、または、Ｗｉ−Ｆｉ可能血統モニタまたはフィットネストラッカーのような適切なデバイスからの自動転送により行ってもよい。このようなアプリケーションを使用して、例えば、異なるタイムゾーンにおいて旅行するとき、または、ビジネスまたはレジャーアクティビティが通常の食習慣または注射ルーチンを中断するとき、患者の通常のライフスタイルを変化させるために、患者が彼のインスリン使用を調節することを助けることさえも可能であるかもしれない。
【００６４】
別の機能またはアプリケーションは、彼のロケーションを他のコミュニティメンバーに知らせるために、および、近くの他のコミュニティメンバーを見つけるために、ロケーションサービスを使用する機会をユーザに与えるかもしれない。その後、この情報を使用して、対面のミーティングを準備することができる。家から離れている間の個人のインスリン供給の喪失、または、現在持っているインスリンがリコールされており、使用すべきではないことの発見のような緊急時のケースにおいて、ユーザがインスリンを他のコミュニティメンバーに進んで供給できると示すことさえも予見できる。例えば、糖尿病に優しいレストラン、薬局、医者またはフィットネス施設のような、特定のコミュニティのニーズに応じる近くの機関および企業の表示を提供するために、ロケーション情報を使用することも可能である。
【００６５】
あらゆるケースにおいて、ユーザは、自分が任意のサービスに対して登録することを決定しない限り、チャットルームにアクセスしている間は常に、彼のアイデンティティは必ず保護されることができる。さらに、チャットルーム内に存在する他のすべての人が糖尿病患者でもあり、したがって、ある人のグループのいじめおよび虐待に関連する問題を大幅に低減することも患者は確信することができる。
【００６６】
本発明の別の実施形態では、製品は、エピネフリンオートインジェクタである。これにより、オートインジェクタは、例えば、データマトリクスコードの形態である、一意的な製品識別子が提供される。ユーザ、すなわち重度のアレルギー反応に苦しむ人がオートインジェクタを取得するとき、ユーザはユーザのスマートフォンを使用してデータマトリクスコードをスキャンすることができる。いったんデータマトリクスコードがスキャンされると、ユーザはウェブサイトに取り込まれ、特別なスマートフォンアプリケーションをインストールおよび／またはアクティブ化するオプションが与えられる。このアプリケーションは、オンラインチャットルームに接続することが可能なダッシュボードの形態をとる。これにより、このオンラインチャットルームは、オートインジェクタ上のデータマトリクスコードを通してアクティブ化されたアプリケーションを介してのみアクセス可能である。
【００６７】
オンラインチャットルームでは、ユーザは、重度のアレルギー反応を伴う問題に苦しむ他の患者と直接話し合うことができる。例えば、重篤であり、生命を脅かす事が多いアレルギー反応に関係付けられている問題にどのように最良に対処するかについての経験を交換する、サポートを得るまたは与える、あるいは、ヒントを交換するために、ユーザはこの接続を使用することができる。
【００６８】
さらに、アプリケーションは、他の機能をユーザに提供することができる。
【００６９】
別の機能またはアプリケーションは、例えば、彼にアレルギーがある食料品のようなものを入力する機会をユーザに与えてもよい。その後、彼は、機能またはアプリケーションを使用して、食料品のような製品上に設けられたバーコードをスキャンし、これらが問題になっているアレルギーを含むまたは含んでいないと知られているか否かを知ることができる。このような情報は、問題の製品と接触するアプリケーションの他のユーザから、少なくとも部分的にクラウドソースされることが可能であるかもしれない。
【００７０】
この機能は、近くのレストランおよび彼のアレルギーに対して適切なレストランのメニューについての情報をユーザに提供するためにも使用されることができる。
【００７１】
別の機能またはアプリケーションを使用して、オートインジェクタが本物であって偽造ではないと保証し、または、特定の製品ユニットがリコールされているケースにおいて、警告を受け取ることができる。
【００７２】
別の機能またはアプリケーションを使用して、緊急支援を提供することができる。例えば、ユーザは、アプリケーションを使用して、遭難信号をアクティブ化することが可能である。アレルギー反応のケースにおいて、アプリケーションは、ユーザを手当てする居合わせた人または応急手当てを行う人に、どのようにアレルギー反応に対応するかについての情報を提供することも可能である。いくつかの実施形態では、例えば、情報を提供するために、オートインジェクタは、例えばブルートゥースを使用して、スマートフォンと直接通信して、アラームをアクティブ化し、または、アクティブ化の際に、アプリケーションのアラームモードを自動的にトリガすることができることが考えられるかもしれない。
【００７３】
さらなる実施形態では、製品は、ＨＩＶ／ＡＩＤＳ患者のための抗レトロウイルス薬である。このケースでは、製品識別子は、コードとウェブアドレスとの組み合わせである。オンライン通信プラットフォームにアクセスするために、ユーザは、デスクトップまたはノートブックコンピュータ上の、あるいは、スマートフォンまたはタブレット上のウェブブラウザを起動し、ウェブアドレスを入力する。ブラウザがウェブアドレスに接続すると、ユーザは、薬のパッケージングからコードを入力するように促され、成功した際に、オンライン通信プラットフォームへのエントリが認められる。
【００７４】
このケースでは、パッケージングは、パッケージ中の個々の服用量の数に対応する多数のコードを備え、各コードは一度のみ使用することができる。
【００７５】
このケースでは、オンライン通信プラットフォームは、患者が議論を読み取り、参加し、他の患者から、または、他の患者に、メッセージを読み取るまたは残すことができるメッセージボードである。これにより、例えば、議論は、例えば、薬の所定の副作用にどのように対処するか、または、より一般的に、ＨＩＶ／ＡＩＤＳ患者のライフスタイル問題に関連するような、特定の問題に向けられることができる。
【００７６】
さらに、患者は、彼のアイデンティティが保護され、メッセージボードのすべての他のメンバーがＨＩＶ／ＡＩＤＳ患者であるという知識において安全に感じることができ、これにより、いじめを低減させ、より高い程度の信頼性を受けた情報を与える。
【国際調査報告】
2018513513.tif 000002
2018513513.tif 000003